(57)【要約】【課題】仕上ったクリーニング品のクリーニング取次店内での滞留率を軽減させ、滞留するクリーニング品のストックによる維持管理上の問題を改善することができる特典付与システム、およびプログラムを提供すること。【解決手段】クリーニング品の受渡日からの経過日数に応じて客に付与する特典を記憶する記憶手段と、クリーニング品の受渡日を入力する入力手段と、記憶手段が記憶する特典を受渡日からの経過日数に応じて客に付与する特典付与手段と、クリーニング品に関する情報を客が所有する携帯端末へ報知する報知手段と、携帯端末において特典と客の識別情報とを表示する表示手段と、を備える。表示手段は、前記客の識別情報として少なくとも識別コードと、利用状況を確認するためのボタンとを同じ画面に表示する。特典は、受渡日から経過する日数が多くなるに従い減少する。【選択図】図１３
2018142387.tif 000002
【特許請求の範囲】
【請求項１】
クリーニング品の受渡日からの経過日数に応じて客に付与する特典を記憶する記憶手段と、
前記クリーニング品の受渡日を入力する入力手段と、
前記記憶手段が記憶する特典を前記入力手段で入力した受渡日からの経過日数に応じて客に付与する特典付与手段と、
前記クリーニング品に関する情報を客が所有する携帯端末へ報知する報知手段と、
前記携帯端末において前記特典と当該客の識別情報とを表示する表示手段と、
を備え、
前記表示手段は、前記客の識別情報として少なくとも識別コードと、取次店の店舗名と、利用状況を確認するためのボタンとを同じ画面に表示し、かつ前記利用状況を取次店毎に表示することを特徴とする特典付与システム。
【請求項２】
前記表示手段は、前記クリーニング品に対する特典内容を日付情報と並べて表示することを特徴とする請求項１に記載の特典付与システム。
【請求項３】
前記記憶手段が記憶する前記客に付与する特典は、前記受渡日から経過する日数が多くなるに従い減少することを特徴とする請求項１または請求項２に記載の特典付与システム。
【請求項４】
前記表示手段は、前記クリーニング品に対する複数の特典内容を経過する日数に応じた日付情報と並べて表示することを特徴とする請求項３に記載の特典付与システム。
【請求項５】
前記記憶手段は、前記客に付与する特典を前記クリーニング品の品目に応じて記憶することを特徴とする請求項１乃至請求項４の内の何れかに記載の特典付与システム。
【請求項６】
前記表示手段は、前記特典または前記利用状況を一覧で表示することを特徴とする請求項１乃至請求項５の内の何れかに記載の特典付与システム。
【請求項７】
クリーニングシステムの特典付与システムを動作させるプログラムであって、
クリーニング品の受渡日からの経過日数に応じて客に付与する特典を記憶する記憶ステップと、
前記クリーニング品の受渡日を入力する入力ステップと、
前記記憶ステップにおいて記憶した特典を前記入力ステップにおいて入力した受渡日からの経過日数に応じて客に付与する特典付与ステップと、
前記クリーニング品に関する情報を客が所有する携帯端末へ報知する報知ステップと、
前記携帯端末において前記特典と当該客の識別情報とを表示させる表示ステップと、
を備え、
前記表示ステップでは、前記客の識別情報として少なくとも識別コードと、取次店の店舗名と、利用状況を確認するためのボタンとを同じ画面に表示し、かつ前記利用状況を取次店毎に表示させることを特徴とするクリーニングシステムの特典付与システムを動作させるプログラム。
【発明の詳細な説明】
【技術分野】
【０００１】
本発明は、客から依頼されたクリーニング品の引き取り引き渡しを行うクリーニング店（クリーニング取次店）の特典付与システム、およびプログラムに関するものである。
【背景技術】
【０００２】
従来、クリーニング業界では、客の要望する引き取り希望日前に客が所持する携帯端末等に引き取り可能な日をメール送信し、仕上ったクリーニング品を引き取ってもらう仕組みや、あるいは、工場からの出庫情報をクリーニング取次店に対してだけでなく、客に対して送信することによって、客に引き取り可能な日を知らせ、仕上ったクリーニング品を引き取ってもらう仕組み等があった。
【先行技術文献】
【特許文献】
【０００３】
【特許文献１】特開２００２−２４５１５５号公報
【発明の概要】
【発明が解決しようとする課題】
【０００４】
しかしながら、客の携帯端末へ引き取り可能日をメール送信しても、早期に引き取りに来ないケースが多く、このためクリーニング取次店内に引き取りされない仕上ったクリーニング品を長期間保管しなければならなくなり、保管管理の手間がかかっていた。また、保管場所を余計に確保しなければならないため、限られた空間を狭くしてしまい、効率的な業務を行うことができないという問題があった。
【０００５】
本発明は上述の点に鑑みてなされたものでありその目的は、仕上ったクリーニング品の滞留率を軽減させ、滞留するクリーニング品のストックによる維持管理上の問題を改善することができる特典付与システム、およびプログラムを提供することにある。
【課題を解決するための手段】
【０００６】
本発明にかかる特典付与システムは、クリーニング品の受渡日からの経過日数に応じて客に付与する特典を記憶する記憶手段と、前記クリーニング品の受渡日を入力する入力手段と、前記記憶手段が記憶する特典を前記入力手段で入力した受渡日からの経過日数に応じて客に付与する特典付与手段と、前記クリーニング品に関する情報を客が所有する携帯端末へ報知する報知手段と、前記携帯端末において前記特典と当該客の識別情報とを表示する表示手段と、を備え、前記表示手段は、前記客の識別情報として少なくとも識別コードと、取次店の店舗名と、利用状況を確認するためのボタンとを同じ画面に表示し、かつ前記利用状況を取次店毎に表示することを特徴としている。
本発明によれば、クリーニング品の受渡日からの経過日数に応じた特典を客に対し付与するので、客に、自分が依頼したクリーニング品を引き取る行為により特典がもらえることを容易かつ迅速に認識させることができる。
これによって、客に仕上ったクリーニング品の引き取りを早期に行わせることができ、従来に比べ引き取りされないクリーニング品を軽減させることができ、引き取りされないクリーニング品を長期間保管することも軽減される。そして、滞留するクリーニング品のストックによる維持管理上の問題点を改善することができ（例えば、保管しておく場所を余計に確保することがなくなる、保管管理の手間が軽減される等）、限られた空間を有効に利用できるようになる。
また本発明は、前記表示手段が、前記クリーニング品に対する特典内容を日付情報と並べて表示することを特徴としている。
【０００７】
また本発明は、前記記憶手段が記憶する前記客に付与する特典が、前記受渡日から経過する日数が多くなるに従い減少することを特徴としている。
本発明によれば、記憶手段が記憶する客に付与する特典が、受渡日から経過する日数が多くなるに従い減少するため、客に仕上ったクリーニング品の引き取りを更に早期に行わせることができ、引き取りされないクリーニング品を長期間保管することも更に軽減される。これによって、客にクリーニング品の早期引き取りを効果的に促すことができる。特典の減少には、例えばポイントの減少や、割引率の減少、粗品等の景品ランクが下がる等がある。
また本発明は、前記表示手段が、前記クリーニング品に対する複数の特典内容を経過する日数に応じた日付情報と並べて表示することを特徴としている。
【０００８】
また本発明は、前記記憶手段が、前記客に付与する特典を前記クリーニング品の品目に応じて記憶することを特徴としている。
本発明によれば、客に付与する特典をクリーニング品の品目に応じて記憶させるので、嵩張る冬物の衣類等の特典をより多くするなど多彩なバリエーションに対応でき、滞留するクリーニング品のストックによる維持管理上の問題点を更に効果的に改善することができる。例えば、嵩張る冬物衣類等により限られた空間を狭くしてしまうこともなく、また、保管しておく場所を余計に確保することもなくなるので、保管管理の手間が軽減される。
【０００９】
また本発明は、前記表示手段が、前記特典または前記利用状況を一覧で表示することを特徴としている。
【００１０】
また本発明は、クリーニングシステムの特典付与システムを動作させるプログラムであって、クリーニング品の受渡日からの経過日数に応じて客に付与する特典を記憶する記憶ステップと、前記クリーニング品の受渡日を入力する入力ステップと、前記記憶ステップにおいて記憶した特典を前記入力ステップにおいて入力した受渡日からの経過日数に応じて客に付与する特典付与ステップと、前記クリーニング品に関する情報を客が所有する携帯端末へ報知する報知ステップと、前記携帯端末において前記特典と当該客の識別情報とを表示させる表示ステップと、を備え、前記表示ステップでは、前記客の識別情報として少なくとも識別コードと、取次店の店舗名と、利用状況を確認するためのボタンとを同じ画面に表示し、かつ前記利用状況を取次店毎に表示させることを特徴としている。
【図面の簡単な説明】
【００１１】
【図１】クリ−ニングシステム１の全体概略構成図である。
【図２】管理装置１０の機能ブロック図の一例を示す図である。
【図３】ＰＯＳ端末３０の機能ブロック図の一例を示す図である。
【図４】携帯端末７０の機能ブロック図の一例を示す図である。
【図５】商品ファイル１１０の一例を示す図である。
【図６】早期引取割引種別ファイル１５０の一例を示す図である。
【図７】預り商品履歴ファイル１３０の一例を示す図である。
【図８】会員証画面Ｇ１の一例を示す図である。
【図９】商品預かりリスト画面Ｇ２の一例を示す図である。
【図１０】利用履歴詳細画面Ｇ３の一例を示す図である。
【図１１】お知らせ情報リスト画面Ｇ４の一例を示す図である。
【図１２】クーポン券リスト画面Ｇ５の一例を示す図である。
【図１３】特典発行処理フロー図である。
【図１４】利用履歴詳細画面Ｇ３−２の一例を示す図である。
【図１５】特典内容表示画面Ｇ６の一例を示す図である。
【図１６】半額クーポン券画面Ｇ７の一例を示す図である。
【発明を実施するための形態】
【００１２】
以下、本発明の実施形態を図面を参照して詳細に説明する。
図１は本発明の一実施形態にかかる特典付与システム（特典付与方法）を用いたクリ−ニングシステム１の全体概略構成図である。同図に示すようにこのクリーニングシステム１は、管理装置１０と、各クリーニング取次店（その店でクリーニングを行うクリーニング店を含む。以下同様）に設置されるＰＯＳ端末３０と、クリーニング工場に設置される工場用端末５０と、客（利用者）が所持する携帯端末（端末装置）７０とを、インターネット等のネットワーク９０によって双方向通信可能に接続して構成されている。管理装置１０とＰＯＳ端末３０と工場用端末５０間は専用通信回線で接続しても良い。
【００１３】
管理装置１０は、クリーニングシステム１全体を制御するコンピュータ（例えばサーバ等）であって、商品ファイル１１０、預かり商品履歴ファイル１３０、早期引取割引種別ファイル１５０等の種々の情報を管理する。
【００１４】
図２は管理装置１０の機能ブロック図の一例を示す図である。同図に示すように、管理装置１０は、ＣＰＵ１１と、ＲＯＭ１３と、ＲＡＭ１５と、表示部１７と、ハードディスク（記憶手段）１９と、操作部２１と、通信部２３とを有しており、これら各要素を互いにバス２５を介して接続して構成されている。ＣＰＵ１１は、ＲＯＭ１３に記憶された制御プログラムを実行することにより、管理装置１０の動作を制御する。ＲＯＭ１３は、前記制御プログラム等の各種情報を記憶する。ＲＡＭ１５は、種々の情報を一時記憶する。表示部１７は、例えば液晶ディスプレイであり、管理装置１０を操作する操作者に対して情報を表示する。ハードディスク１９は、下記する商品ファイル１１０や預り商品履歴ファイル１３０等の各種情報を記憶する記憶手段である。操作部２１は、管理装置１０を操作する操作員から種々の操作を受けるための各種キー等を有する入力手段である。通信部２３は、ネットワーク９０を介して外部の各種機器と通信するための通信インターフェースであり、他の機器からの情報を入力する入力手段、他の機器へ情報を出力する出力手段である。
【００１５】
ＰＯＳ端末３０は、クリーニング取次店に設置されて、客の氏名や電話番号等の入力を行う顧客情報登録処理や、商品の預り・返却等の処理を行う商品情報登録処理や、会計処理等を行う。図３はＰＯＳ端末３０の機能ブロック図の一例を示す図である。同図に示すように、ＰＯＳ端末３０は、ＣＰＵ３１と、ＲＯＭ３３と、ＲＡＭ３５と、表示部３７と、入力部３９と、印刷部４１と、通信部４３とを、バス４５を介して接続して構成されている。ＣＰＵ３１は、ＲＯＭ３３に記憶された制御プログラムを実行することにより、ＰＯＳ端末３０の動作を制御する。ＲＯＭ３３は、前記制御プログラム等の各種情報を記憶する。ＲＡＭ３５は、種々の情報を一時記憶する。表示部３７は、例えば液晶ディスプレイであり、ＰＯＳ端末３０を操作（商品受付処理、商品返却処理、会計処理等）する店員に対して情報を表示する。入力部３９は、ＰＯＳ端末３０を操作する店員から種々の操作を受けるための各種キーや前記表示部３７の表面に設けられるタッチパネルやハンディースキャナーやカードリーダー等を有している。印刷部４１は、領収書を発行する等に用いる。通信部４３は、ネットワーク９０を介して外部の各種機器と通信するための通信インターフェースである。なおネットワーク９０に接続される複数のＰＯＳ端末３０は、同一チェーン店の複数のＰＯＳ端末３０や、個人で営まれているクリーニング取次店のＰＯＳ端末３０等、多数のＰＯＳ端末３０であってもよい。即ちこのクリーニングシステム１は、チェーン店、個人店を網羅して構成できるシステムである。
【００１６】
工場用端末５０は、実際にクリーニングを行うクリーニング工場に設置されるコンピュータであり、図示はしないが、少なくともＣＰＵとＲＯＭとＲＡＭと表示部と入力部と通信部とをバスを介して接続して構成されている。
【００１７】
携帯端末７０は、クリーニングを利用する客がそれぞれ保持する携帯端末、例えばスマートフォン（多機能電話機）であり、前記管理装置１０やＰＯＳ端末３０との間で各種の情報のやり取りをするものである。図４は携帯端末７０の機能ブロック図の一例を示す図である。同図に示すように、携帯端末７０は、ＣＰＵ７１と、ＲＯＭ７３と、ＲＡＭ７５と、タッチパネル兼用表示部（入力兼表示部）７７と、通信部７９とを、バス８１を介して接続して構成されている。ＣＰＵ７１は、ＲＯＭ７３に記憶された制御プログラムを実行することにより、携帯端末７０の動作を制御する。ＲＯＭ７３は、前記制御プログラムや、タッチパネル兼用表示部７７において表示される画像データ（画像フォーマット情報）等の各種情報を記憶する。ＲＡＭ７５は、種々の情報を一時記憶する。タッチパネル兼用表示部７７は、液晶パネルのような種々の画像を表示する表示装置と、タッチパッドのような位置入力装置とを組み合わせた装置であり、携帯端末７０を操作する客（携帯端末保持者）に対して情報を表示し、また画面上の表示を押下（タップ、ドラッグ、フリック等）することで入力を行う。通信部７９は、ネットワーク９０を介して外部の各種機器と通信するための通信インターフェースであり、下記する特典の特典受信手段でもある。
また、携帯端末７０に様々なアプリケーションを管理装置１０から自由にインストールすることができる仕様となっており、例えば、図８に示すようなクリーニング会員用アプリケーションなどが携帯端末７０にインストールされる。
このクリーニング会員用アプリケーションは、一般的に「アクティビティ」と「サービス」という２つの要素で構成されている。アクティビティとは，一つの画面を持つプログラムのことで、画面が表示されている間は実行中となるが、ユーザーがアプリケーションを終了したり、電話の着信などの割り込みが発生して画面が消えたりすると、待機状態になる仕組みになっている。
一方，サービスは，画面を持たず常にバックグラウンド・プロセスとして動作するプログラムのことで、携帯端末７０のシステムに常駐し、クリーニング会員用アプリケーションや他のアプリケーションからの要求に応じて処理を実行する。なお、サービスはそれ自身が画面を持たないため、画面を持つアクティビティを介してデータ等を設定する。なお、サービスとアクティビティは、それぞれ動作するプロセスが異なる場合もあるため、プロセス間通信の仕組みで動作する。例えば，特典が付与された通知を表示するクリーニング会員用アプリケーション（アクティビティ）と、管理装置１０より付与された特典の通知や管理装置１０より送信されたメッセージ、あるいはクリーニングの仕上がり情報、セール情報、クーポン情報等を受信するプログラム（サービス）とでプロセス間通信を利用し動作する。
【００１８】
図５は、前記管理装置１０が記憶する商品ファイル１１０の一例を示す図である。同図に示すように商品ファイル１１０には、商品コード、商品名、洗い区分、収納区分、単価、仕上り予定日数等の他、早期引取割引の種別の情報も記憶されている。ここで仕上り予定日数は、商品を受け取ってからクリーニングが仕上がるまでにかかる通常の日数である。また早期引取割引の種別は、クリーニングが仕上がってから、客が早期にこれを受け取った場合に付与される特典の種類であり、商品によって異ならせている。図６は、前記管理装置１０が記憶する早期引取割引種別ファイル１５０の一例を示す図である。同図に示すように早期引取割引種別ファイル１５０には、種別（Ａ１，Ａ２，Ａ３，・・・）と、受渡日（仕上がり日）からの経過日数（〜２日まで、〜５日まで、〜１０日まで、・・・）とに応じた特典の種類（５％オフクーポン、３０％オフクーポン、・・・）が記憶されている。
【００１９】
図７は、前記管理装置１０が記憶する預り商品履歴ファイル１３０の一例を示す図である。同図に示すように預り商品履歴ファイル１３０は、顧客コード、預り商品名、価格、預り日、仕上り予定日（受渡予定日、受渡予定日時）、仕上り日（仕上がり日時、受渡日、受渡日時）、引取日（引取日時）等の他、早期引取割引の内容の情報も記憶されている。
【００２０】
次に、このクリーニングシステム１の動作の一例について説明する。このクリーニングシステム１は、携帯端末７０自体が、クリーニング店の会員証や預かり票の機能を有し、また管理装置１０側等から携帯端末７０にクリーニングの仕上がり情報やセール情報やクーポン情報を配信したり、逆に携帯端末７０側等から管理装置１０側にアンケート情報等を送信できる構成となっている。そして、顧客情報は、管理装置１０で一元管理されている。なお、管理装置１０は、クリーニングに特化したサービスを提供するクラウドサーバであり、クリーニング店等は、このクラウドサーバの仕組みを利用し、客から預かったクリーニング品の受け取りから受け渡しまでの各種サービスや特典付与等のサービスを客に対し提供する。
【００２１】
そして客は、予め、携帯端末７０のタッチパネル兼用表示部７７に表示されたクリーニング会員用アプリケーションをダウンロードしてＲＡＭ７５に記憶し、これによって、このクリーニングシステム１上の会員になっておく。そしてこの客がクリーニング品を預けるために、クリーニング取次店（例えば「○○クリーニングＡＡＡ店」）に出向いて、このクリーニング会員用アプリケーションを開くと、ホーム画面として、そのタッチパネル兼用表示部７７に図８に示すような会員証画面Ｇ１が表示される。そしてこの会員証画面Ｇ１に表示されているバーコード（会員番号等）をクリーニング取次店のＰＯＳ端末３０の入力部３９が読み込む。ＰＯＳ端末３０は、読み込んだ会員番号等を管理装置１０に問い合わせて会員情報を取得し（又はＰＯＳ端末３０のＲＡＭ３７に記憶している会員情報を取得し）、預かった商品の登録をＰＯＳ端末３０に行い、その精算を行う。そして預り商品の登録、精算の情報は、ＰＯＳ端末３０から管理装置１０に送信され、管理装置１０は、預かり商品の記録を、預り商品履歴ファイル１３０に行う。例えば、図７で言えば、顧客コード「○○○○」の客が、Ｙシャツ２枚とコート１着を９月１２日に預り、仕上がり予定日（受渡予定日）が９月１５日（Ｙシャツ）と９月１６日（コート）になる。そしてこの段階では、仕上り日（受渡日、受渡日時）以降の欄は空欄になっている。なお、単価や仕上がり予定日は、商品ファイル１１０の情報を用いて算出する。同時に管理装置１０は、このクリーニング取次店で前記各商品を預ったこと、その日時、仕上り予定日等の情報をこの客の携帯端末７０に送信し、そのＲＡＭ７５に記憶させる。また管理装置１０は、必要に応じて、各種セールの情報や、クーポン情報、アンケート依頼等も、適宜、各携帯端末７０に対して配信する。なお、仕上がり日が受渡日に限らず、受渡日は仕上がり日とは別の日として設定し記憶してもよい。例えば、仕上がり日以降の所定期間内における客の希望引取日時を受渡日（日時）としてもよい。前記所定期間内とは、仕上がり日から２日以内等の入力範囲（設定可能な期間）からなる制限情報を意味する。
【００２２】
一方、図８に示す客側の携帯端末７０の会員証画面Ｇ１において、その下部の「利用履歴」をタップすると、図９に示すように、ネットワーク９０上に接続されている全てのクリーニング取次店の商品預かりリスト画面Ｇ２が表示される。さらに商品預かりリスト画面Ｇ２中の、例えば、最も上のリストの「お預り中」の欄ｇ１をタップすると、図１０に示すように、そのお預り中の利用履歴詳細画面Ｇ３が表示される。利用履歴詳細画面Ｇ３は従来の預かり票に対応する。
【００２３】
同様に、前記会員証画面Ｇ１又は他の画面等において、その下部の「お知らせ」をタップすると、図１１に示すように、ネットワーク９０上に接続されている全てのクリーニング取次店の各種のお知らせ情報リスト画面Ｇ４が表示される。但し、このときは、図１１に示す最も上のリストの「早期引取割引のお知らせ」の欄ｇ２はまだ表示されていないものとする。同様に、前記会員証画面Ｇ１又は他の画面において、その下部の「クーポン」をタップすると、図１２に示すように、その客が利用できる全てのクーポン券リスト画面Ｇ５が表示される。但し、このときは、図１２に示すリスト中央の「半額券」の欄ｇ３とその下２段の「５％オフクーポン券」の欄ｇ４−１，ｇ４−２はまだ表示されていないものとする。同様に、前記会員証画面Ｇ１又は他の画面において、その下部の「アンケート」をタップすると、ネットワーク９０上に接続されている全てのクリーニング取次店の各種のアンケートのアンケート一覧画面（図示せず）が表示される。アンケート一覧画面中の所望の欄をタップすれば、特定のアンケート入力画面（図示せず）が表示され、それに答えることで、例えば新たにクーポン券などが得られる。
【００２４】
そして、工場において商品のクリーニングが完了すると、工場用端末５０から、又は工場から仕上がり商品が持ち込まれたクリーニング取次店のＰＯＳ端末３０から、商品が仕上がった旨の入力（受渡日の入力）が行われ、管理装置１０に送信される。管理装置１０は、商品が仕上がったことを客の携帯端末７０に送信すると共に、その携帯端末７０に仕上り品の早期引取に対して特典が付与されることを知らせる。
【００２５】
図１３は、商品が仕上がることで客に特典を発行する管理装置１０における特典発行処理フロー図である。以下、前記「○○クリーニングＡＡＡ店」に９月１２日に２枚のワイシャツと１枚のコートを預け、前記２枚のワイシャツが９月１５日に仕上がり、前記１枚のコートが９月１６日に仕上がり、これらを客が９月１７日に引き取った場合を例にして説明する。同図に示すように、仕上り日（受渡日）が工場用端末５０又はＰＯＳ端末３０から入力されると（ステップ１）、その仕上り日（受渡日）を図７に示す預り商品履歴ファイル１３０に記録する（ステップ２）。図７の例では、ワイシャツについては９／１５に仕上がって受渡可能となったのでその日に、またコートは９／１６に仕上がって受渡可能となったのでその日に預り商品履歴ファイル１３０を更新している。なお、仕上がり日が受渡日に限らず、受渡日は仕上がり日とは別の日として管理装置１０に設定し記憶するようにしてもよい。例えば、工場用端末５０又はＰＯＳ端末３０より管理装置１０に仕上り日が入力されと、管理装置１０より客が所有する端末装置（例えば、パソコンや携帯端末）へクリーニング品の仕上がり日が通知される。そして、クリーニング品の仕上がり日を通知された客は、通知された仕上がり日以降の所定期間内で受取を希望する受取日時を端末装置のプログラム（クリーニング会員用アプリケーション）を介して管理装置１０に入力する。そして、この入力された希望受取日時をクリーニング品の受渡日（受渡日時）として管理装置１０が記憶し管理するようにしてもよい。
【００２６】
次に仕上った商品の特典情報を、図５に示す商品ファイル１１０と図６に示す早期引取割引種別ファイル１５０とを用いて算出し（ステップ３）、その特典情報の内容を、対応する携帯端末７０に送信する（ステップ４）。携帯端末７０はその特典情報の内容をＲＡＭ７５に記憶する。具体的には、上記ワイシャツの場合は、商品ファイル１１０から早期引取割引の種別がＡ１なのでその内容を仕上った９／１５に携帯端末７０に送信し、コートの場合は、早期引取割引の種別がＡ３なのでその内容を仕上った９／１６に携帯端末７０に送信し、それぞれ携帯端末７０のＲＡＭ７５に記憶する。なお、特典情報の内容を携帯端末７０のＲＡＭ７５に記憶することに限らず、携帯端末７０にインストールされたクリーニング専用アプリケーションに特典が付与された通知（お知らせ）のみを行い、クリーニング専用アプリケーションを起動させると、管理装置１０が記憶する対象となる客の特典情報の内容を携帯端末７０の表示部に表示するようにしてもよい。
【００２７】
これによって、携帯端末７０では、図１０に示す利用履歴詳細画面Ｇ３を、図１４に示す利用履歴詳細画面Ｇ３−２に変更する。即ち、図９に示す商品預かりリスト画面Ｇ２中の欄ｇ１をタップすると、利用履歴詳細画面Ｇ３−２が表示され、「★シャツ２点とコート１点が仕上がりました。早めのお引き取りで特典が受けられます。」のような表示がされる。そして例えばその「特典」の部分をタップすると、図１５に示すような特典内容表示画面Ｇ６が表示される。この画面Ｇ６には、現在受けられる特典が表示されており、早く引き取るほど、より大きな特典が得られることを表示している。
【００２８】
図１３に戻って、次に所定期間（例えば１日間）経過する毎に、特典情報を再算出し（ステップ５）、特典情報の内容が変更された場合は、携帯端末７０に更新後の特典情報が送信され（ステップ６）、その携帯端末７０に記憶している特典情報が更新される。具体的には、例えば前記シャツとコートの引き取りがないまま、もしも９／１８になった場合は、前記図１５に示す表示中の「９／１７まで  半額クーポン」の表示と、「９／１７まで  ５％オフクーポン」の表示を消去する。
【００２９】
そして上記特典情報の更新作業は、商品の引取があるまで続けられる（ステップ７）。そして商品の引取があったことが、ＰＯＳ端末３０から入力され、管理装置１０が受信すると、管理装置１０は特典内容の算出を行う（ステップ８）。この例の場合は、９／１７にワイシャツとコートの引取があったので、コートに対しては半額クーポン券、ワイシャツに対しては５％オフクーポン券が提供される。
【００３０】
そしてこの引取日と特典の内容は、図７に示す預り商品履歴ファイル１３０の「引取日」と「早期引取割引の内容」の欄にそれぞれ記録される（ステップ９）。そしてこの早期引取割引の内容は、対応する携帯端末７０に送信され（ステップ１０）、その携帯端末７０にクーポン券として記憶される。これによって、図１２に示すように、携帯端末７０のクーポン券リスト画面Ｇ５には、１つの半額券の欄ｇ３と、２つの５％オフクーポン券の欄ｇ４−１，ｇ４−２が新たに表示される。そして例えば欄ｇ３の部分をタップすると、図１６に示すような、半額クーポン券画面Ｇ７が表示されるので、この画面をクリーニング取次店で表示することで、その特典を受けることができる。
【００３１】
以上説明したように、上記特典付与システムは、入力手段（通信部２３等）で客から依頼されたクリーニング品の受渡日（仕上がり日）が入力されると、クリーニング品が引き取られるまで、経過日数に応じて記憶手段（ＲＡＭ１５やハードディスク１９等）が記憶する客に付与する特典（早期引取割引種別ファイル１５０等）を客の携帯端末７０に送信する特典付与手段（ＣＰＵ１１が実行する図１３の処理フロー等）を備えているので、客に対して、自分が依頼したクリーニング品を引き取る行為により特典がもらえることを容易かつ迅速に認識させることができる。このため、従来に比べて仕上ったクリーニング品の引取時期が早くなり、引き取りされないクリーニング品が軽減され、クリーニング取次店側が引き取りされないクリーニング品を長期間保管することも軽減される。即ち、滞留するクリーニング品のストックによる維持管理上の問題点を改善することができ（例えば、保管しておく場所を余計に確保することがなくなる、保管管理の手間が軽減される等）、限られた空間を有効に利用できるようになる。
【００３２】
また上記特典付与システムは、入力手段（通信部２３等）により客から依頼されたクリーニング品の引取日が入力されるまで、客に付与する特典を送信する（図１３のステップ５〜７等）ので、客に対して注意喚起を継続して行うことができる。これによってさらにクリーニング品の引き取り遅延を軽減させることができる。
【００３３】
また上記特典付与システムは、客に付与する特典が、受渡日（仕上がり日、受取希望日）から経過する日数が多くなるに従い減少するように構成したので（早期引取割引種別ファイル１５０等）、特典が減少することを客に容易かつ迅速に認識させることができ、客にクリーニング品の早期引き取りを促すことができる。
【００３４】
また上記特典付与システムは、客に付与する特典をクリーニング品の品目に応じて記憶する（早期引取割引種別ファイル１５０等）こととしているので、例えば嵩張る冬物の衣類等の特典をより多くするなど多彩なバリエーションに対応でき、滞留するクリーニング品のストックによる維持管理上の問題点を更に効果的に改善することができる。例えば、嵩張る冬物衣類等により限られた空間を狭くしてしまうこともなく、また、保管しておく場所を余計に確保することもなくなるので、保管管理の手間が軽減される。
【００３５】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの構成であっても、本願発明の作用・効果を奏する以上、本願発明の技術的思想の範囲内である。例えば、特典の内容は上記例に限定されず、他の種々の特典であっても良い。また上記例では、ネットワークを介して携帯端末と管理装置とＰＯＳ端末とが情報を相互に送受信するように構成したが、例えば管理装置からＰＯＳ端末に送信された情報をＰＯＳ端末から携帯端末に直接、例えばブルートゥース（登録商標）によって送受信するような構成を加えても良い。また客が有する端末装置は、携帯端末に限定されず、デスクトップ型の端末装置等の他の端末装置、またはこれらと携帯端末を併用するもの等であっても良い。
以上の説明に関し、さらに以下の項を開示する。
（付記１）
前記入力手段は、前記クリーニング品の引取日の入力を更に受け付け、前記特典付与手段は、前記入力手段により前記引取日が入力されるまで、前記記憶手段が記憶する特典を客に付与することを特徴とする請求項１又は請求項２に記載の特典付与システム。これによって、入力手段によりクリーニング品の引取日が入力されるまで（クリーニング品が引き取られるまで）、特典付与手段は客に特典を付与するので、客に対して注意喚起を継続して行うことができる。これによってさらにクリーニング品の引き取り遅延を軽減させることができる。
（付記２）
前記特典付与手段は、前記記憶手段が記憶する特典を客が所有する端末装置に送信する請求項１又は請求項２又は付記１に記載の特典付与システム。客が所有する端末装置（例えば、パソコンや携帯端末等）に特典を送信するので、より早く確実に客に特典情報を提供（通知）することができる。
（付記３）
クリーニング品の受渡日からの経過日数に応じて付与される特典を前記受渡日からの経過日数に応じて受信する特典受信手段、を備えたことを特徴とする端末装置。
（付記４）
前記付与される特典は、前記受渡日から経過する日数が多くなるに従い減少することを特徴とする付記３に記載の端末装置。
（付記５）
クリーニング品の受渡日からの経過日数に応じて客に付与する特典を記憶する記憶ステップと、前記クリーニング品の受渡日を入力する入力ステップと、前記記憶ステップで記憶した特典を前記入力ステップで入力した受渡日からの経過日数に応じて客に付与する特典付与ステップと、を備えたことを特徴とする特典付与方法。
（付記６）
前記受渡日から経過する日数が多くなるに従い前記客に付与する特典を減少させる特典減少ステップ、を備えたことを特徴とする付記５に記載の特典付与方法。
【符号の説明】
【００３６】
１  クリ−ニングシステム                    １０  管理装置
１１  ＣＰＵ                                １３  ＲＯＭ
１５  ＲＡＭ                                １７  表示部
１９  ハードディスク（記憶手段）            ２１  操作部（入力手段）
２３  通信部（入力手段）                    ２５  バス
３０  ＰＯＳ端末                            ３１  ＣＰＵ
３３  ＲＯＭ                                ３５  ＲＡＭ
３７  表示部                                ３９  入力部
４１  印刷部                                ４３  通信部
４５  バス                                  ５０  工場用端末
７０  携帯端末（端末装置）                  ７１  ＣＰＵ
７３  ＲＯＭ                                ７５  ＲＡＭ
７７  タッチパネル兼用表示部（入出力部）    ７９  通信部
８１  バス                                  ９０  ネットワーク
１１０  商品ファイル                        １３０  預り商品履歴ファイル
１５０  早期引取割引種別ファイル            Ｇ１  会員証画面
Ｇ２  商品預かりリスト画面                  Ｇ３  利用履歴詳細画面
Ｇ４  お知らせ情報リスト画面                Ｇ５  クーポン券リスト画面
Ｇ３−２  利用履歴詳細画面                  Ｇ６  特典内容表示画面
Ｇ７  半額クーポン券画面
【図１】
2018142387.tif 000003
【図２】
2018142387.tif 000004
【図３】
2018142387.tif 000005
【図４】
2018142387.tif 000006
【図５】
2018142387.tif 000007
【図６】
2018142387.tif 000008
【図７】
2018142387.tif 000009
【図８】
2018142387.tif 000010
【図９】
2018142387.tif 000011
【図１０】
2018142387.tif 000012
【図１１】
2018142387.tif 000013
【図１２】
2018142387.tif 000014
【図１３】
2018142387.tif 000015
【図１４】
2018142387.tif 000016
【図１５】
2018142387.tif 000017
【図１６】
2018142387.tif 000018
【手続補正書】
【提出日】平成30年7月24日(2018.7.24)
【手続補正１】
【補正対象書類名】明細書
【補正対象項目名】０００６
【補正方法】変更
【補正の内容】
【０００６】
本発明にかかる特典付与システムは、クリーニング品の仕上り日からの経過日数に応じて客に付与する特典を前記クリーニング品の種別ごとに記憶する記憶手段と、前記種別と前記クリーニング品の仕上り日とを入力する入力手段と、前記記憶手段が記憶する特典を前記入力手段で入力した前記種別と仕上り日からの経過日数に応じて客に付与する特典付与手段と、前記クリーニング品の仕上りの旨を客が所有する携帯端末に表示する表示手段と、を備え、前記表示手段は、前記仕上りの旨として少なくとも、仕上がったクリーニング品と、点数と、前記種別ごとの特典付与の条件と、を表示することを特徴としている。
本発明によれば、クリーニング品の仕上り日からの経過日数に応じた特典を客に対し付与するので、客に、自分が依頼したクリーニング品を引き取る行為により特典がもらえることを容易かつ迅速に認識させることができる。
これによって、客に仕上ったクリーニング品の引き取りを早期に行わせることができ、従来に比べ引き取りされないクリーニング品を軽減させることができ、引き取りされないクリーニング品を長期間保管することも軽減される。そして、滞留するクリーニング品のストックによる維持管理上の問題点を改善することができ（例えば、保管しておく場所を余計に確保することがなくなる、保管管理の手間が軽減される等）、限られた空間を有効に利用できるようになる。
【手続補正２】
【補正対象書類名】明細書
【補正対象項目名】０００７
【補正方法】変更
【補正の内容】
【０００７】
また本発明は、前記特典付与の条件の内の日付の条件が、前記仕上りの旨を通知した日と、前記記憶手段が記憶する前記仕上りの旨を通知した日からの経過日数と、に基づく日付であることを特徴としている。
【手続補正３】
【補正対象書類名】明細書
【補正対象項目名】０００８
【補正方法】変更
【補正の内容】
【０００８】
また本発明は、前記表示手段が、客の識別情報と、取次店の店舗名と、前記仕上りの旨を含む利用状況画面を表示するためのボタンとを同じ画面に表示することを特徴としている。
【手続補正４】
【補正対象書類名】明細書
【補正対象項目名】０００９
【補正方法】変更
【補正の内容】
【０００９】
また本発明は、前記表示手段が、前記ボタンの操作により表示内容を変更する変更領域と、前記変更領域の変更に依らず当該ボタンを表示する非変更領域とを同じ画面に表示することを特徴としている。
【手続補正５】
【補正対象書類名】明細書
【補正対象項目名】００１０
【補正方法】変更
【補正の内容】
【００１０】
また本発明は、クリーニングシステムの特典付与システムを動作させるプログラムであって、クリーニング品の仕上り日からの経過日数に応じて客に付与する特典を前記クリーニング品の種別ごとに記憶する記憶ステップと、前記種別と前記クリーニング品の仕上り日とを入力する入力ステップと、前記記憶ステップにおいて記憶した特典を前記入力ステップにおいて入力した前記種別と仕上り日からの経過日数に応じて客に付与する特典付与ステップと、前記クリーニング品の仕上りの旨を客が所有する携帯端末に表示させる表示ステップと、を備え、前記表示ステップでは、前記仕上りの旨として少なくとも、仕上がったクリーニング品と、点数と、前記種別ごとの特典付与の条件と、を表示させることを特徴としている。
【手続補正６】
【補正対象書類名】特許請求の範囲
【補正対象項目名】全文
【補正方法】変更
【補正の内容】
【特許請求の範囲】
【請求項１】
クリーニング品の仕上り日からの経過日数に応じて客に付与する特典を前記クリーニング品の種別ごとに記憶する記憶手段と、
前記種別と前記クリーニング品の仕上り日とを入力する入力手段と、
前記記憶手段が記憶する特典を前記入力手段で入力した前記種別と仕上り日からの経過日数に応じて客に付与する特典付与手段と、
前記クリーニング品の仕上りの旨を客が所有する携帯端末に表示する表示手段と、
を備え、
前記表示手段は、前記仕上りの旨として少なくとも、仕上がったクリーニング品と、点数と、前記種別ごとの特典付与の条件と、を表示することを特徴とする特典付与システム。
【請求項２】
前記特典付与の条件の内の日付の条件は、前記仕上りの旨を通知した日と、前記記憶手段が記憶する前記仕上りの旨を通知した日からの経過日数と、に基づく日付であることを特徴とする請求項１に記載の特典付与システム。
【請求項３】
前記表示手段は、客の識別情報と、取次店の店舗名と、前記仕上りの旨を含む利用状況画面を表示するためのボタンとを同じ画面に表示することを特徴とする請求項１または請求項２に記載の特典付与システム。
【請求項４】
前記表示手段は、前記ボタンの操作により表示内容を変更する変更領域と、前記変更領域の変更に依らず当該ボタンを表示する非変更領域とを同じ画面に表示することを特徴とする請求項３に記載の特典付与システム。
【請求項５】
クリーニングシステムの特典付与システムを動作させるプログラムであって、
クリーニング品の仕上り日からの経過日数に応じて客に付与する特典を前記クリーニング品の種別ごとに記憶する記憶ステップと、
前記種別と前記クリーニング品の仕上り日とを入力する入力ステップと、
前記記憶ステップにおいて記憶した特典を前記入力ステップにおいて入力した前記種別と仕上り日からの経過日数に応じて客に付与する特典付与ステップと、
前記クリーニング品の仕上りの旨を客が所有する携帯端末に表示させる表示ステップと、
を備え、
前記表示ステップでは、前記仕上りの旨として少なくとも、仕上がったクリーニング品と、点数と、前記種別ごとの特典付与の条件と、を表示させることを特徴とするクリーニングシステムの特典付与システムを動作させるプログラム。